【手続補正書】
【提出日】令和2年1月22日(2020.1.22)
【手続補正１】
【補正対象書類名】特許請求の範囲
【補正対象項目名】全文
【補正方法】変更
【補正の内容】
【特許請求の範囲】
【請求項１】
第１のマウントを備えるアクセサリを着脱可能なマウント装置であって、
第２のマウントと、
前記アクセサリの前記第１のマウントの周方向に沿って配された複数の爪部の何れかと係合可能に配された第１、第２、および第３のマウント爪部と、
前記第２のマウントの中心軸と平行な方向に進退可能な規制部材と、
を有し、
前記第２、第３のマウント爪部は、前記周方向における角度範囲がそれぞれ前記第１のマウント爪部の角度範囲以下であって、
前記第２のマウントの中心軸方向から見た場合に、前記第２のマウントの中心と前記規制部材を通る線を第２のマウント中心線とし、前記第２のマウント中心線と前記第２のマウントの中心で直交する線を第１のマウント中心線とした場合、前記第１のマウント中心線は前記第１のマウント爪部と重畳し、前記第２のマウント中心線は、前記第１のマウント中心線に対する前記第２のマウントの前記規制部材側で前記第２のマウント爪部および前記第３のマウント爪部と重畳せず、前記規制部側と反対側で前記第２のマウント爪部と重畳することを特徴とするマウント装置。
【請求項２】
前記第２のマウントの前記周方向において、前記第１のマウント爪部の角度範囲は、前記第２、第３のマウント爪部の合計の角度範囲以上であることを特徴とする請求項１に記載のマウント装置。
【請求項３】
前記第２のマウントの中心軸方向から見た場合に、前記第１のマウント中心線は、前記第２のマウントの中心から重力方向および当該重力方向とは反対方向に延びる線であって、前記第２のマウント中心線は、前記第２のマウントの中心で前記第１のマウント中心線と直交する線であることを特徴とする請求項１又は２に記載のマウント装置。
【請求項４】
前記第２のマウントの前記中心軸方向から前記マウント装置を見た場合に、前記第２のマウントの前記周方向において、前記第２のマウント中心線を基準として前記第１のマウント爪部を含む一方の側における前記複数のマウント爪部の角度範囲の総和が、前記第２のマウント中心線を基準とした前記一方の側とは反対側における前記複数のマウント爪部の角度範囲の総和以上である、ことを特徴とする請求項１乃至３の何れか１項に記載のマウント装置。
【請求項５】
前記規制手段は、前記第２のマウントと前記第１のマウントとが結合された状態で前記アクセサリに設けられた溝部に挿入されるロックピンであって、
前記規制手段は、前記第１のマウントと前記第２のマウントとの相対的な回転を所定の回転位相でロックし、
前記規制手段は、前記第２のマウント中心線と重畳する前記第２のマウント爪部および前記第３のマウント爪部の少なくとも一方と、前記第１のマウント中心線を挟んで反対側に設けられていることを特徴とする請求項１乃至４の何れか１項にマウント装置。
【請求項６】
前記第２のマウントは、前記第１のマウント爪部と前記第２のマウント爪部との間に、前記第１のマウントに設けられた前記複数の爪部のうちの第４のマウント爪部を挿入可能な第１のマウント凹部と、前記第２のマウント爪部と前記第３のマウント爪部との間に、前記第１のマウントに設けられた前記複数の爪部のうちの第５のマウント爪部を挿入可能な第２のマウント凹部と、前記第３のマウント爪部と前記第１のマウント爪部との間に、前記第１のマウントに設けられた前記複数の爪部のうちの第６のマウント爪部を挿入可能な第３のマウント凹部と、を有し、
前記第１のマウント凹部は、前記第２のマウントの前記周方向における角度範囲が、前記第２のマウント凹部又は前記第３のマウント凹部の少なくとも１つの前記周方向における角度範囲以下であることを特徴とする請求項１乃至５の何れか一項に記載のマウント装置。
【請求項７】
前記第２のマウントの前記周方向における角度範囲は、前記第１のマウント爪部が９２°、第２のマウント爪部が４８°、第３のマウント爪部が４０°であることを特徴とする請求項６に記載のマウント装置。
【請求項８】
前記第１のマウント爪部、前記第２のマウント爪部、前記第３のマウント爪部のそれぞれは、前記第２のマウントの前記周方向おいて、単一のマウント爪部の一方の端から他方の端までの間に溝部がない１つの爪からなることを特徴とする請求項１乃至７の何れか１項に記載のマウント装置。
【請求項９】
前記第１のマウント爪部、前記第２のマウント爪部、前記第３のマウント爪部のそれぞれは、前記第２のマウントの前記周方向おいて、単一のマウント爪部の一方の端から他方の端までの間に溝部が設けられた複数の爪からなることを特徴とする請求項１乃至７の何れか１項に記載のマウント装置。
【請求項１０】
請求項１乃至９の何れか１項に記載のマウント装置が前記撮像装置の前側に取り付けられた状態で、前記第２のマウントの前記中心軸方向から前記撮像装置の前側を見た場合に、前記規制手段が、前記第２のマウントの右側に位置することを特徴とする撮像装置。
【請求項１１】
請求項１乃至９の何れか１項に記載のマウント装置を備えたアダプタ装置であって、
前記第２のマウントの前記中心軸方向において、前記第２のマウントとは反対側に、前記撮像装置に設けられた第３のマウント結合可能な第４のマウントを備え、
前記マウント装置が前記撮像装置に取り付けられた状態で、前記第３のマウントと前記第４のマウントとが結合し、
前記アダプタ装置を、前記第２のマウントに面する側から見た場合に、前記規制手段は、前記第２のマウントの右側に位置することを特徴とするアダプタ装置。
【請求項１２】
第１のマウントを備える撮像装置に装着可能なアクセサリであって、
第２のマウントと、
前記撮像装置の前記第１のマウントの周方向に沿って配された複数の爪部の何れかと係合可能に配された第１、第２、および第３のマウント爪部と、
前記第２のマウントの周方向に沿って配された第１、第２、および第３のマウント凹部と、
前記撮像装置の前記第１のマウントに設けられた規制部材が挿入可能な溝部と、を有し、
前記第２、第３のマウント凹部は、は、前記第２のマウントの前記周方向における角度範囲がそれぞれ前記第１のマウント凹部の角度範囲以下であって、
前記第２のマウントの中心軸方向から見た場合に、前記第２のマウントの中心と前記溝部を通る線を第２マウント中心線とし、前記第２のマウント中心線と前記第２のマウントの中心で直交する線を第１のマウント中心線とした場合、
前記第１のマウント中心線は、前記第１、第２、および第３のマウント凹部の何れとも重畳せず、前記第２の中心線は、前記第１のマウント中心線に対する前記第２のマウントの前記溝部側で前記１の凹部と重畳し、溝部側と反対側で前記第２の凹部および前記第３の凹部と重畳しないことを特徴とするアクセサリ。
【請求項１３】
前記第２のマウントの前記周方向において、前記第１のマウント凹部の角度範囲は、前記第２、第３のマウント凹部の合計の角度範囲以上であることを特徴とする請求項１に記載のアクセサリ。
【請求項１４】
前記撮像装置に装着されたアクセサリを前記第２のマウントの中心軸方向から見た場合に、前記第１のマウント中心線は、前記第２のマウントの中心から重力方向および当該重力方向とは反対方向に延びる線であって、前記第２のマウント中心線は、前記第２のマウントの中心で前記第１のマウント中心線と直交する線であることを特徴とする請求項１２又は１３に記載のアクセサリ。
【請求項１５】
前記第２のマウントの周方向において、
前記第１のマウント凹部は、前記第２のマウント爪部と前記第３のマウント爪部との間に位置し、
前記第２のマウント凹部は、前記第３のマウント爪部と前記第１のマウント爪部との間に位置し、
前記第３のマウント凹部は、前記第１のマウント爪部と前記第２のマウント爪部との間に位置し、
前記撮像装置に前記アクセサリが装着された状態で、前記第２のマウントの前記中心軸方向から前記アクセサリを見た場合に、前記第２のマウントの径方向において、前記第１のマウント爪部と前記第３のマウント爪部が前記第１のマウント中心線と重畳することを特徴とする請求項１２乃至１４の何れか１項に記載のアクセサリ。
【請求項１６】
前記撮像装置に前記アクセサリが装着された状態で、前記第２のマウントの前記中心軸方向から前記アクセサリを見た場合に、前記第２のマウントの径方向において、前記第２のマウント爪部が前記第２のマウント中心線と重畳することを特徴とする請求項１５に記載のアクセサリ。
【請求項１７】
前記第１のマウント凹部は、前記撮像装置の前記複数の爪部の爪のうち、第４の爪部を挿入可能であって、
前記第２のマウント凹部は、前記撮像装置の前記複数の爪部の爪のうち、第５の爪部を挿入可能であって、
前記第３のマウント凹部は、前記撮像装置の前記複数の爪部の爪のうち、第６の爪部を挿入可能であって、
前記アクセサリは、前記第１のマウント凹部に前記第４の爪部が挿入され、前記第２のマウント凹部に前記第５の爪部が挿入され、前記第３のマウント凹部に前記第６の爪部が挿入された第１の状態と、前記第２のマウントの前記中心軸方向において、前記第１のマウント爪部と前記第５の爪部とが係合し、前記第２のマウント爪部と前記第６の爪部とが係合し、前記第３のマウント爪部と前記第４の爪部とが係合することで、前記第１のマウントに対して前記第２のマウントの結合が完了した第２の状態と、に遷移できることを特徴とする請求項１６に記載のアクセサリ。
【請求項１８】
前記アクセサリの前記第２の状態で、前記第２のマウントの前記中心軸方向から前記アクセサリを見た場合に、前記溝部が前記第２のマウントの左側に位置し、前記第２のマウントの中心線よりも上側に前記第１のマウント爪部が位置することを特徴とする請求項１７に記載のアクセサリ。
【請求項１９】
前記撮像装置の前記規制手段はロックピンであって、
前記溝部は、前記第２のマウントと前記第１のマウントとが結合された状態で前記ロックピンが前記溝部に挿入され、前記第１のマウントと前記第２のマウントとの相対的な回転を所定の回転位相でロックすることを特徴とする請求項１６乃至１８の何れか１項に記載のアクセサリ。
【請求項２０】
前記第２のマウントの前記周方向における角度範囲は、前記第１のマウント凹部が９６°、第２のマウント凹部が５２°、第３のマウント凹部が４４°であることを特徴とする請求項１２乃至１９の何れか１項に記載のマウント装置。
【請求項２１】
前記第１のマウント爪部、前記第２のマウント爪部、前記第３のマウント爪部のそれぞれは、前記第２のマウントの前記周方向おいて、単一のマウント爪部の一方の端から他方の端までの間に溝部がない１つの爪からなることを特徴とする請求項１２乃至２０の何れか１項に記載のアクセサリ。
【請求項２２】
前記第１のマウント爪部、前記第２のマウント爪部、前記第３のマウント爪部のそれぞれは、前記第２のマウントの前記周方向おいて、単一のマウント爪部の一方の端から他方の端までの間に溝部が設けられた複数の爪からなることを特徴とする請求項１２乃至２０の何れか１項に記載のアクセサリ。
【請求項２３】
前記アクセサリは、前記撮像装置に着脱可能な交換レンズであることを特徴とする請求項１２乃至２２の何れか一項に記載のアクセサリ。
【請求項２４】
前記アクセサリは、前記撮像装置に着脱可能なアダプタ装置であることを特徴する請求項１２乃至２２の何れか一項に記載のアクセサリ。
【手続補正２】
【補正対象書類名】明細書
【補正対象項目名】発明の名称
【補正方法】変更
【補正の内容】
【発明の名称】マウント装置およびアクセサリ
【手続補正３】
【補正対象書類名】明細書
【補正対象項目名】０００１
【補正方法】変更
【補正の内容】
【０００１】
本発明は、マウント装置およびアクセサリに関する。
【手続補正４】
【補正対象書類名】明細書
【補正対象項目名】０００３
【補正方法】変更
【補正の内容】
【０００３】
また、カメラに対するアクセサリの装着（結合）は、例えば、特許文献１に開示されているように、カメラおよびアクセサリ双方のマウントを相対回転させて、それぞれに設けられたバヨネット爪を互いに係合させる所謂バヨネット結合方式を採用したマウントシステムが知られている。
【手続補正５】
【補正対象書類名】明細書
【補正対象項目名】０００４
【補正方法】削除
【補正の内容】
【手続補正６】
【補正対象書類名】明細書
【補正対象項目名】０００５
【補正方法】削除
【補正の内容】
【手続補正７】
【補正対象書類名】明細書
【補正対象項目名】０００６
【補正方法】削除
【補正の内容】
【手続補正８】
【補正対象書類名】明細書
【補正対象項目名】０００７
【補正方法】削除
【補正の内容】
【手続補正９】
【補正対象書類名】明細書
【補正対象項目名】０００９
【補正方法】変更
【補正の内容】
【０００９】
一般的に、撮像装置に交換レンズ（アクセサリ）を装着した場合、両者の寸法公差により、光軸と直交する方向において、撮像装置と交換レンズとの間に隙間が生じるため、当該隙間に起因して、撮像装置に対する交換レンズのガタつきが大きくなる。また、交換レンズの自重により、撮像装置に対して交換レンズは、重力方向へのガタつき（たわみ）が大きくなる。
しかしながら、特許文献１では、上述したような、撮像装置にアクセサリを装着する際のガタつきを低減するための構成については何ら言及されていない。したがって、当該ガタつきが大きい場合に被写体を撮像すると、撮像装置の光軸とアクセサリの光軸のずれに起因して、ユーザが意図しない不自然な画像が取得されてしまう虞がある。
【手続補正１０】
【補正対象書類名】明細書
【補正対象項目名】００１０
【補正方法】削除
【補正の内容】
【手続補正１１】
【補正対象書類名】明細書
【補正対象項目名】００１１
【補正方法】削除
【補正の内容】
【手続補正１２】
【補正対象書類名】明細書
【補正対象項目名】００１２
【補正方法】変更
【補正の内容】
【００１２】
本発明の目的は、アクセサリを装着する際のガタつきにより、ユーザが意図しない画像が取得されることを防止することである。
【手続補正１３】
【補正対象書類名】明細書
【補正対象項目名】００１３
【補正方法】変更
【補正の内容】
【００１３】
上記目的を達成するために、本発明のマウント装置は、第１のマウントを備えるアクセサリを着脱可能なマウント装置であって、第２のマウントと、前記アクセサリの前記第１のマウントの周方向に沿って配された複数の爪部の何れかと係合可能に配された第１、第２、および第３のマウント爪部と、前記第２のマウントの中心軸と平行な方向に進退可能な規制部材と、を有し、前記第２、第３のマウント爪部は、前記周方向における角度範囲がそれぞれ前記第１のマウント爪部の角度範囲以下であって、前記第２のマウントの中心軸方向から見た場合に、前記第２のマウントの中心と前記規制部材を通る線を第２のマウント中心線とし、前記第２のマウント中心線と前記第２のマウントの中心で直交する線を第１のマウント中心線とした場合、前記第１のマウント中心線は前記第１のマウント爪部と重畳し、前記第２のマウント中心線は、前記第１のマウント中心線に対する前記第２のマウントの前記規制部材側で前記第２のマウント爪部および前記第３のマウント爪部と重畳せず、前記規制部側と反対側で前記第２のマウント爪部と重畳することを特徴とする。
【手続補正１４】
【補正対象書類名】明細書
【補正対象項目名】００１４
【補正方法】変更
【補正の内容】
【００１４】
本発明によれば、ユーザが意図しない画像が取得されることを防止することができる。